(57)【特許請求の範囲】
【請求項１】
開口した上端部に、密封材を被着する外周へ突出した鍔を有する円筒状容器と、前記鍔を嵌合できる嵌合用凹部を有し、外周縁に複数の連結紐の係止部が等角度で設けられた化粧蓋とで構成されており、前記円筒容器の底面に、前記化粧蓋の係止部と対応して、同一角度、同一円周上に交互に形成された凹部と凸部が、前記円筒状容器の底を互いに嵌合する凹凸形状に形成されており、前記円筒状容器の底を合わせて重合される一方、密封材が被着された前記各鍔に嵌合した前記化粧蓋に挟持された状態で、各化粧蓋の対向する前記係止部に連結紐が襷掛けに結着されており、かつ、当該襷掛けに結着された連結紐体の中央部の周囲が緊締紐で緊張されていることを特徴とする包装用容器。
【請求項２】
偶数個の係止部が設けられている場合は、二種類の連結紐を使用して襷掛けに結着されていることを特徴とする請求項１に記載の包装用容器。
【請求項３】
円筒状容器の底面を嵌合する凹部と凸部が、直径方向に並行に連続して形成されていることを特徴とする請求項１又は２に記載の包装用容器。
【発明の詳細な説明】
【技術分野】
【０００１】
本発明は包装用容器に関するものであり、主として食品の包装への利用に多く用いられる容器に関する。
【背景技術】
【０００２】
食品における例えば菓子の中で、水羊羹やゼリー（動物系のゼラチンや、植物系のペクチン・寒天・カラギーナンなどのゲル化剤で凝固させた形態の菓子を称する。）等は、容器に封入されて販売されているものが多く見られる。
【０００３】
そこで、この種の菓子製品は、広く大きく開口した面から垂状に周囲を狭くして頂部を形成した容器へ、当該容器の開口した面からゼリー等の原料を注入して収容し、開口した面を密封材である蓋やフィルムで密封する工程で製造されるのが一般的である。
そして、通常は開口した密封材で密封した面を上面として、販売店舗内での展示や包装箱詰めを行なっている。
【０００４】
一方、商品の展示を良好にする目的で、実開平０３−１２０４３５号公報では、容器の上面と底面に互いに嵌合する凸部又は凹部を形成して積み重ねを安定させたものが開示されている。
【０００５】
また、特開２０００−２５８２４号公報の陳列用を兼ねた包装容器は、容器本体の底壁部と蓋体の上面の構造により、商品を収納して複数個積重ねることができること、商品を収納して陳列棚に陳列する際に、従来の包装容器のように特別の補助具を使用しないで、顧客が容器に収納された商品を容易に観察することができるように、最上段の容器の角度を顧客の通路側に向けて容易に陳列できることが開示されている。
【先行技術文献】
【特許文献】
【０００６】
【特許文献１】特開２０００−２５８２４号公報
【特許文献２】実開平０３−１２０４３５号公報
【発明の概要】
【発明が解決しようとする課題】
【０００７】
従来、商品の包装や展示は単品の商品毎に行うことを基本として工夫がされている。
そのため、容器の形態に関する意匠的な創作や搬送・展示の空間を効率的に占めるような構成を特徴としている。
【０００８】
そこで、本発明は単品の容器を組み合わせて纏まりのある容器に擬制して購買意欲を喚起する構成を提案し、展示の効果を発揮することを目的とするものである。
【課題を解決するための手段】
【０００９】
本発明に係る包装用容器の請求項１の発明は、開口した上端部に、密封材を被着する外周へ突出した鍔を有する円筒状容器と、前記鍔を嵌合できる嵌合用凹部を有し、外周縁に複数の連結紐の係止部が等角度で設けられた化粧蓋とで構成されており、前記円筒容器の底面に、前記化粧蓋の係止部と対応して、同一角度、同一円周上に交互に形成された凹部と凸部が、前記円筒状容器の底を互いに嵌合する凹凸形状に形成されており、前記円筒状容器の底を合わせて重合される一方、密封材が被着された前記各鍔に嵌合した前記化粧蓋に挟持された状態で、各化粧蓋の対向する前記係止部に連結紐が襷掛けに結着されており、かつ、当該襷掛けに結着された連結紐体の中央部の周囲が緊締紐で緊張されていることを特徴とするものである。
【００１０】
請求項２に係る包装用容器の発明は、請求項１に記載の発明において、偶数個の係止部が設けられている場合は、二種類の連結紐を使用して襷掛けに結着されていることを特徴とするものである。
【００１１】
請求項３に係る包装用容器の発明は、請求項１又は２に記載の発明において、円筒状容器の底面を嵌合する凹部と凸部が、直径方向に並行に連続して形成されていることを特徴とするものである。
【発明の効果】
【００１２】
請求項１の発明は、一対の同一の容器を、係止部が対向するように互いの底を合わせて重合し、化粧蓋で挟持した互いの係止部を襷掛けに連結紐で結着したため、一対の容器を一体に固定できるものであり、襷掛けした連結紐体の中央部に緊締紐を周回して緊結させたことで強固な連結となり、底面同士の水平方向の横滑りやズレを防止する効果を発揮する。
【００１３】
また、密封材が被着された各鍔を嵌合用凹部に緩合して重ねた化粧蓋で挟持したものでありから、化粧蓋の嵌合用凹部で各鍔の水平方向の横滑りやズレを防止し、連結紐で互いの係止部を襷掛けに結着する作業が安定して行えると共に、連結紐と緊締紐での結着等の後も安定した状態を維持できる効果を発揮する。
【００１４】
そして、一対の容器を連結紐と緊締紐で固定した形態は、鼓や桶太鼓を連想させるもので連結した構成が意匠的作用と相俟った機能美を創出する効果も合わせて発揮するものである。
【００１５】
さらに、互いの凹部と凸部が嵌合するように底面を重合すれば、係止部も対応して配置されることになり、重合した一対の容器の互いの底面の凹部と凸部が嵌合することで、底面同士の水平方向の滑りやズレを完全に防止する効果を発揮するものである。
【００１６】
請求項２の発明は、請求項１の発明の効果に加えて、偶数個の係止部が設けられている場合は、互いの係止部を襷掛けに結着していくと２本の連結紐が必要になるため、二種類の連結紐を使用して襷掛けに結着することで、更なる意匠的効果と相俟った機能美を創出する効果を発揮するものである。
【００１７】
請求項３の発明は、請求項１又は２の発明の効果に加えて、互いの凹部と凸部が嵌合するように底面を重合すれば、係止部も対応して配置されることになり、重合した一対の容器の互いの底面の凹部と凸部が嵌合することで、凹凸線に対する直角の方向への横滑りやズレを完全に防止する効果を発揮するものである。
【図面の簡単な説明】
【００１８】
【図１】本発明の一実施の形態を示す正面図である。
【図２】図１の平面図である。
【図３】図１の要部断面図である。
【図４】係止部の他の実施の形態を示す平面図である。
【図５】底面の実施の形態を示す底面図である。
【図６】底面の他の実施の形態を示す正面図である。
【発明を実施するための形態】
【００１９】
図１は本発明の一実施の形態を示す正面図であり、図２は同平面図、図３は要部断面図である。
本発明に係る包装用容器は、同一の形態を有する二個の容器１、１、二個の化粧蓋５、５、連結紐２及び緊締紐３で構成されている。
【００２０】
容器１は、円筒状の容器で、広く開口した上面から垂状に周囲を狭くして水平な底面１１を形成し、開口した上端部に外周へ突出した鍔１２を設けたものであり、容器１には、開口した上面から例えばゼリー等の原料を注入して収容し、開口した上面を密封材４である蓋やフィルムが前記鍔１２に当着して密封される。
【００２１】
また、化粧蓋５は、内面に外側へ段部を形成し、中央部分に前記鍔１２を緩合できる嵌合用凹部５１を形成し、外周縁に切欠５３、５３により複数の連結紐２の係止部５２、５２・・・を設けてあり、図１及び図２では６箇所を等角度で突設してある。
【００２２】
そこで、容器１、１の互いの底面１１、１１を合わせて重合する一方、密封材４が被着された前記各鍔１２、１２を化粧蓋５の嵌合用凹部５１に嵌合して重ねた化粧蓋５、５で挟持し、この挟持した各化粧蓋５の対向する前記係止部５２に連結紐２を襷掛けに引掛けて連結紐２の両端部を結着し、さらに、襷掛けした連結紐体の中央部に緊締紐３を周回して緊結して、その形態が鼓や桶太鼓を連想させる作用を奏するものとしている。
【００２３】
すなわち、容器１、１の互いの底面１１、１１の重合は、互いの化粧蓋５、５の係止部５２・・・と係止部５２・・・が対向するように配置し、連結紐２は対向する係止部５２、５２に隣設する係止部５２、５２へ襷掛けに掛設してあり、更に、掛設した連結紐体の中央部の周囲に緊締紐３を周回して端部同士を緊結して連結紐体を緊張させ、重合した容器１、１との一体化を強固にしている。
【００２４】
係止部５２の数が偶数個であると、襷掛けとする場合には二本の連結紐２が必要であり、模様や色を違えた二種の紐２、２を使用すれば、意匠的作用が顕著と成る。
係止部５２の数が奇数個であれば、一本の連結紐２で全係止部５２を襷掛けに掛設できる。
【００２５】
また、図４ａに示すように、係止部５２は化粧蓋５の外周より突出させて形成し、図４ｂは係止部５２の基部から溝５４を連設したもので、緊締紐３によって連結紐２は内側へ引っ張られて溝５４へ侵入し、抜脱を防止する作用を奏する。
更に、図４ｃは他の切欠５３で周縁部内に係止部５２を形成したものである。
【００２６】
図５は容器１の底面の一実施の形態を示し、底面１１に凹部６と凸部７を、化粧蓋５に設けた係止部５２と対応して、同一角度で交互に、互いの凹部６と凸部７が嵌合する凹凸形状を設けてある。
【００２７】
したがって、互いの凹部６と凸部７が嵌合するように底面１１、１１同士を重合すれば、係止部５２も対応して配置されることになり、重合した互いの底面１１の凹部６と凸部７とが嵌合することで、重合した底面同士の水平方向の滑りやズレを完全に防止する作用を奏するものである。
【００２８】
底面１１に形成する凹部６と凸部７は、化粧蓋５に設けた係止部５２と対応して、同一角度、同一円周上に交互に、互いの凹部６と凸部７が嵌合するものであるため、凹部６と凸部７の形成する合計個数は偶数となり、対応する係止部５２も同一の偶数個と互いに制約される。
【００２９】
図５ａは、底面１１の周囲に沿って略長円形の凹部６と凸部７を交互に等間隔で配置したものであり、当該凹部６及び凸部７とに対応して係止部５２が形成され、化粧蓋５の係止部５２を対応させて挟持することとなる。
図５ｂは、放射線状に略扇形の凹部６と凸部７を交互に等間隔で配置したものである。
【００３０】
図６は容器１の底面の他の実施の形態を示し、底面１１の直径方向に並行に連続した同一波形で、凹部６と凸部７を形成したものであり、同一幅の波形であって、凹部６と凸部７が嵌合する形状としたものである。
【００３１】
したがって、１８０度互いに回転して底面１１、１１同士を重合すれば、互いの底面の凹部６と凸部７が嵌合することで、凹凸方向線に対する直角の方向への滑りやズレを完全に防止することができる。
波形は段部形状の凹凸部であっても良い。
【００３２】
以上、本発明を実施の形態を図面に基づき具体的に説明したが、例えば、包装対商品象や包装容器の材質、或いは具体的形状について、上記の実施形態に限定されるものではなく、発明の思想を逸脱することない範囲の他の実施の形態にも適用可能である。
【符号の説明】
【００３３】
１    容器
２    連結紐
３    緊締紐
４    密封材
５    化粧蓋
６    凹部
７    凸部
１１  底面
１２  鍔
５１  嵌合用凹部
５２  係止部
５３  切欠
５４  溝
【図１】
0006292716.tif 000002
【図２】
0006292716.tif 000003
【図３】
0006292716.tif 000004
【図４】
0006292716.tif 000005
【図５】
0006292716.tif 000006
【図６】
0006292716.tif 000007